(57)【要約】ＬＥＤ光源（３４）および導光板（３２）を有し、照明器具及び鏡具を兼ねるＬＥＤ照明装置において、少なくともＬＥＤ光源（３４）および導光板（３２）を含む発光部（２１）と、発光部（２１）を含む下フレーム（１７）に対して上フレーム（１６）を介して開閉可能に結合され、下フレーム（１７）に対して閉じられた位置にある時は発光部（２１）に面して下方に発光部（２１）の照明光を反射し、一方、発光部（２１）に対して開かれた位置にある時は鏡として機能するミラー（２０）を設ける。
2012121126.tif 000002
【特許請求の範囲】
【請求項１】
ＬＥＤ光源および導光板を有するＬＥＤ照明装置において、
少なくとも前記ＬＥＤ光源および前記導光板を含む発光部と、
前記発光部に対して開閉可能であり、前記発光部に対して閉じられた位置にある時は前記発光部に面して前記発光部の照明光を反射し、前記発光部に対して開かれた位置にある時は鏡として機能するミラー部を有することを特徴とするＬＥＤ照明装置。
【請求項２】
前記発光部の前記導光板の照射面に、照明光を拡散させ面発光で照明光を照射する拡散板を設けたことを特徴とする請求項１に記載のＬＥＤ照明装置。
【請求項３】
前記ミラー部および前記発光部を含む部分が基台上に配置され、前記ミラー部および前記発光部を含む部分の前記基台からの高さまたは前記基台に対する姿勢を調整する手段を設けたことを特徴とする請求項１または２に記載のＬＥＤ照明装置。
【請求項４】
前記ミラー部が前記発光部に対して揺動可能に軸支されることにより、前記ミラー部が前記発光部に対して開閉可能であることを特徴とする請求項１〜３のいずれか１項に記載のＬＥＤ照明装置。
【発明の詳細な説明】
【技術分野】
【０００１】
本発明はＬＥＤ照明装置、特にＬＥＤ光源および導光板を有するＬＥＤ照明装置に関するものである。
【背景技術】
【０００２】
近年では、低コストで省電力駆動が可能で一般に長寿命である、といったＬＥＤ光源の特性、また、ＬＥＤの発光輝度の増加という条件もあいまって、ＬＥＤの普及が著しく進んでおり、従来、白熱球などで実施されていた照明装置や発光装置の光源がＬＥＤに置き換えられている。【０００３】
特に、ＬＥＤの発光輝度が増すにつれ、それまで蛍光灯や白熱電球を採用していた電気スタンドなどがＬＥＤを採用するようになってきた。下記の特許文献１では、導光板の発光面から発光させるＬＥＤ照明装置にミラーを組合せた構成が開示されており、この特許文献１の装置は単なる照明装置ではなく、女性が化粧をしたり、男性が髭剃りをする時などに用いられる照明付きのミラー（以下、鏡具という）としての用途に用いることができるよう考えられている。
【先行技術文献】
【特許文献】
【０００４】
【特許文献１】特開２０１０ー２８２８０６号公報
【発明の概要】
【発明が解決しようとする課題】
【０００５】
上述の特許文献１に示されるような従来のＬＥＤ照明装置はヒンジを多く使用し構造が複雑であり、耐久性に欠け、製造コストも高くつきがちである、という問題がある。【０００６】
本発明の課題は、簡単安価に構成でき、鏡具としても便利に使用できるＬＥＤ照明装置を提供することにある。
【課題を解決するための手段】
【０００７】
上記課題を解決するため、本発明においては、ＬＥＤ光源および導光板を有するＬＥＤ照明装置において、少なくとも前記ＬＥＤ光源および前記導光板を含む発光部と、前記発光部に対して開閉可能であり、前記発光部に対して閉じられた位置にある時は前記発光部に面して前記発光部の照明光を反射し、前記発光部に対して開かれた位置にある時は鏡として機能するミラー部を有する構成を採用した。
【発明の効果】
【０００８】
上記構成によれば、前記発光部に対して開閉可能なミラー部は発光部に対して閉じた時は発光部の照明光を反射する反射部材として機能し、一方、発光部に対して開いた時は鏡具の反射部材として機能させることができ、照明器具ないし鏡具のようにそれぞれ単機能の製品とは異なる付加価値を有するＬＥＤ照明装置を少ない部品点数で簡単安価に提供することができる。【０００９】
また、ミラー部を発光部に対して閉じた時は、ミラー部を発光部の反射部材として機能させる、すなわち、ミラー部が発光部の一部として機能するよう構成されているため、充分な照明効率を確保することができる。【００１０】
さらに、ミラー部を発光部に対して開き、装置を鏡具として用いる時には、ミラー部の近傍に発光部の面発光照明が位置することになり、メイク、ネイルケア、グルーミングなどの用途ではユーザに顔面の凹凸などがよく判り、細かいメイクや髭剃りなどの作業が極めて容易になる。
【図面の簡単な説明】
【００１１】
【図１】本発明を採用したＬＥＤ照明装置の外観を示した斜視図である。
【図２】本発明を採用したＬＥＤ照明装置の外観を示した斜視図である。
【図３】本発明を採用したＬＥＤ照明装置の内部構造および動作を示した説明図である。
【図４】本発明を採用したＬＥＤ照明装置の内部構造および動作を示した説明図である。
【発明を実施するための形態】
【００１２】
以下、図面に示す実施例に基づいて本発明を説明する。
【実施例】
【００１３】
図１〜図４に本発明を採用したＬＥＤ照明装置の構成例を示す。図１〜図４に示したＬＥＤ照明装置の各部筐体を構成する外装パーツはたとえばプラスチック部品などの一体成型などによって構成される。【００１４】
図１および図２は、本発明を採用したＬＥＤ照明装置の外観を示している。本実施例のＬＥＤ照明装置は、化粧用の鏡など鏡具として用いることができるよう構成されている。図１および図２において、ＬＥＤ照明装置の本体部分は、上フレーム１６、下フレーム１７、および上フレーム１６と下フレーム１７を開閉自在に結合する可動結合部１８から構成されている。【００１５】
特に図２は可動結合部１８を開いた状態を示しており、可動結合部１８はたとえば半円筒構造のカバーのような部材で、上フレーム１６、下フレーム１７、とそれぞれ揺動自在に結合されている。図２の可動結合部１８の縁部の丸印２４ａ、２４ｂは、上フレーム１６、下フレーム１７、と可動結合部１８を結合するヒンジなどの結合部材の支軸（の位置）を模式的に示したものである。【００１６】
上フレーム１６は、図２のように開いた状態で任意の角度で係止できるようにたとえば不図示のフリクション部材などが上フレーム１６ないし下フレーム１７と可動結合部１８の結合部の任意の個所に配置される。上フレーム１６を開いたときの上フレーム１６と下フレーム１７の最大角度は任意であるが、たとえばほぼ１８０°近くまで開くことができるように構成しておくと、照明装置の用途の幅が広がる。【００１７】
可動結合部１８は、図１のように上フレーム１６を閉じる時、下フレーム１７の後部上面に突出して設けられたバルジ部２２を覆うように折り疊まれる。バルジ部２２の内部には、たとえば電源部や後述のＬＥＤ光源３４の配列部材などが配設される。【００１８】
上フレーム１６の下面には、図２に示すようにミラー２０を設ける。この上フレーム１６とミラー２０は鏡具としての本装置のミラー部（鏡部）を構成するものである。【００１９】
ミラー２０は、上フレーム１６を折り疊んだとき、下フレーム１７上面の発光部２１に面するよう配置され（図３参照）、発光部２１の反射部材として機能するとともに、上フレーム１６を開いたときは、装置を鏡具として用いる時の主要部材である反射部を構成する。【００２０】
すなわち、上フレーム１６とミラー２０を含むミラー部は、発光部２１に対して開閉可能に軸支され、発光部２１に対して閉じられた位置にある時は発光部２１の上面に面して発光部２１とは反対側の下面方向に発光部の照明光を反射し、一方、発光部２１に対して開かれた位置にある時は鏡具の鏡として機能する。【００２１】
発光部２１（の上面の拡散板３１：後述）は、ミラー２０および上フレーム１６を開いた時に、化粧（あるいは髭剃りなど）をするユーザの顔を前方下方から照明するとともに、下フレーム１７の下面にも露出しており、特に照明スタンドとして本装置を用いる場合にはこの下フレーム１７の下面に面した発光部２１（後述の拡散板３３）が発光面として機能する。【００２２】
図３および図４は、図１および図２にそれぞれほぼ対応した状態で下フレーム１７に設けられる発光部２１付近の断面構造を示している。【００２３】
図３、図４に示すように、本実施例の発光部２１は、側方から矢印３５で示すようにＬＥＤ光源３４の光を導入し、上下方向に照明光をガイドし、その上下面から照明光を照射するよう構成された導光板３２を含む。【００２４】
導光板３２の上面ないし下面には、周知のように上記のような照明光ガイドを効率的に行なえるよう、溝や円錐台形状のドットなどが形成される。【００２５】
ＬＥＤ光源３４は、下フレーム１７（あるいはバルジ部２２）内に導光板３２の端縁に沿って１ないしそれ以上の複数個（個数は任意である）配置される。なお、ＬＥＤ光源３４は、図示の位置だけではなく導光板３２の他の端縁に沿って配置してもよい。その場合、導光板３２の複数の端縁に沿って配置してもかまわない。【００２６】
導光板３２の上部、および下部には、それぞれ照明光を拡散させ面発光で照明光をそれぞれ図の上下方向に照射するための拡散板３１、３３を配置する。拡散板３１、３３はたとえば乳白色の樹脂板など、所期の照明光拡散特性を得られる部材から構成する。【００２７】
ＬＥＤ光源３４、導光板３２、拡散板３１、３３の部分は、図３、図４では不図示の下フレーム１７内に配置され拡散板３１、３３の部分が下フレーム１７の上下面に露出する。ただし、拡散板３１、３３の外面には拡散板３１、３３を保護するために不図示の保護部材を配置（ないし貼付）してもよい。また、拡散板３１、３３はそれぞれ１枚だけではなく、複数の拡散板を積層配置することにより構成してもよい。【００２８】
図３のように上フレーム１６を閉じた状態では、導光板３２〜拡散板３１から上方に照射された照明光は上フレーム１６のミラー２０によって反射され、再度拡散板３１〜導光板３２、さらに拡散板３３を経由して下方（矢印３６）に導光される。【００２９】
一方、図４に示すように、結合部材（２４ａ、２４ｂ）廻りに上フレーム１６と可動結合部１８を回動させ、上フレーム１６を開くと、照明光は導光板３２〜拡散板３３から下方（３６）のみならず、導光板３２〜拡散板３１から上方にも照射される（４０）。【００３０】
この上方に照射される照明光（４０）は、化粧（あるいは髭剃りなど）をするユーザの作業を助ける補助的な照明光であり、それほど大きな光量とする必要はなく、図４のように上フレーム１６を開いた時の上下の配光比率はたとえば上方（４０）と下方（３６）でたとえばそれぞれ４０：６０程度、すなわち上方（４０）の照明光量のほうが下方（３６）の照明光量よりも小さくなるように構成するのが好ましい。【００３１】
このためには、導光板３２の上下面への出射光量の差異なども含めて上下の拡散板３１、３３の透過率を決定しておく。たとえば、上下の拡散板３１、３３の透過率をそれぞれ１０％、および７０〜８０％程度に設定すると、上方（４０）と下方（３６）でたとえばそれぞれ４０：６０程度の配光比率を得ることができる。【００３２】
以上のように、本実施例のＬＥＤ照明装置では、図１、図３のように上フレーム１６を折り疊んだ状態、すなわち装置を照明スタンドとして用いる場合に発光効率を上げるため発光面の反対側の面に反射板（ミラー２０）を配置している。【００３３】
発光部２１の主要部は、上記のように主に拡散板３１、導光板３２、拡散板３３から成る積層構造、およびＬＥＤ光源３４により構成されている。【００３４】
図１、図３のように上フレーム１６を閉じた状態ではＬＥＤ照明スタンドとして用いることができ、上フレーム１６下面のミラー２０が発光部２１上面に面し、これにより発光部２１の照明光を下方に反射するので良好な照明効率を得ることができる。【００３５】
一方、図２、図４のようにミラー付きＬＥＤ照明スタンドとして使用する際には、上フレーム１６とミラー２０の部分を、発光部２１およびその電源部などを収容した下フレーム１７に対して回動して開くことができるように構成されている。【００３６】
この状態では、発光部２１の拡散板３１、導光板３２、拡散板３３の部分は、上フレーム１６とミラー２０が離れたことにより両面発光の状態となり、これにより発光部２１は下フレーム１７の下方と、上方のミラー２０の近傍とを同時に照明することができる。【００３７】
ＬＥＤ照明装置上部の発光部廻りの構造は以上の通りであるが、照明スタンド兼鏡具として用いることができるよう、その下部構造はたとえば図１、図２に示すように構成することができる。【００３８】
上記のように閉じた時に照明装置の一部を構成する上フレーム１６とミラー２０の部分は、鏡具として使用する人の目線の高さに合わせることができるような高さに配置する必要がある。また、下面を照明光で照射する照明スタンドとして用いるためにも、上述のように構成した上フレーム１６〜下フレーム１７の部分は装置の下部からある程度の高さに配置する必要がある。【００３９】
そこで、本実施例では、図１および図２に示すように上述のように構成したミラー２０および発光部２１を含む上フレーム１６〜下フレーム１７の部分を支柱１５により基台１０上に配置してある。【００４０】
ミラー２０および発光部２１を含む上フレーム１６〜下フレーム１７の部分を支持する支柱１５は、照明角度やミラー２０の姿勢を調節できるように基台からの高さまたは前記基台に対する姿勢を調整できるように構成する。たとえば、支柱１５はフレキシブルチューブのような折り曲げ自在の部材や、ラジオのアンテナのような伸縮棒のような部材（いずれも不図示）を一部または全部に用いて支柱１５の長さや、角度の調節ができるような構造とする。【００４１】
支柱１５は支持部１１を介して基台１０上に固定されている。支持部１１の部分には、スイッチ１２、１３を配置してある。スイッチ１２、１３は、照明光源であるＬＥＤ光源のオン／オフを制御する電源スイッチ、あるいは輝度切り換えなどを行なうスイッチとして構成することができる。【００４２】
支持部１１の後部には、ＡＣアダプタや商用交流電源の電力を内部の回路に供給するための電源ケーブル１４が装着される。電源ケーブル１４は直出しでも、あるいはコネクタを介して装着される構造でも、いずれの方式でも装着できる。【００４３】
基台１０の形状は任意であるが、全体が簡単に倒れたりしないような重量配分で構成するか、あるいは下面にマグネットや吸盤を配置して支持平面と結合するような構造を用いることができる。また、基台１０の厚みにもよるが、小物を入れるための凹部１９を設けることによって、メイクやネイルケア、グルーミングに特化した照明スタンドとすることもできる。【００４４】
以上、説明したように、本実施例のＬＥＤ照明装置においては、上フレーム１６とミラー２０の部分は、単なる鏡具としての機能を果すものではなく、閉じた時にミラー２０が下面を照射する照明光を反射する反射部材として機能する、すなわち、上フレーム１６とミラー２０の部分が発光部の一部を構成するよう機能するよう構成されている。これによって、主に上フレーム１６の下方（上フレーム１６の姿勢によっては必ずしも垂直下方を意味しない）を照明する照明スタンドとして充分な照明効率を確保することができる。【００４５】
上フレーム１６とミラー２０の部分は、（主に下方照明用の）照明スタンドの発光部の一部を兼用していることから、部品点数が少なくて済み、ＬＥＤ照明装置（兼鏡具）を簡単安価に構成でき、さらに上フレーム１６とミラー２０の部分を開くことにより（主に下方照明用の）照明スタンド、ないし鏡具の機能切り換えを簡単に行なうことができ、それぞれ単機能の製品とは異なる付加価値を有する、魅力的な製品をユーザに提供することができる。【００４６】
また、本実施例のＬＥＤ照明装置では、上フレーム１６とミラー２０の部分を開いた状態では鏡（ミラー２０）の近傍に面発光照明（発光部２１）が位置するようになるため、メイク、ネイルケア、グルーミングなどの用途ではユーザに顔面の凹凸などがよく判り、細かいメイクや髭剃りなどの作業が極めて容易になり、また、本実施例の装置はスタンド型の照明器具／鏡具であるからコンパクトミラーとは異なり、両手を使うことができ良好な作業性を確保できる。【００４７】
なお、以上では可動結合部１８によって上フレーム１６と下フレーム１７を揺動軸支し、ミラー部、すなわちミラー２０を含む上フレーム１６を、発光部２１を含む下フレーム１７に対して開閉可能とする構造を例示したが、可動結合部１８に相当する上フレーム１６と下フレーム１７の結合部の構造は任意であり、ミラー部、すなわちミラー２０を含む上フレーム１６が発光部２１を含む下フレーム１７に対して開閉可能とすることができる構造であれば任意の構造の結合部を用いることができる。【００４８】
たとえば、ミラー部、すなわちミラー２０を含む上フレーム１６が発光部２１を含む下フレーム１７に対して着脱自在となっており、上フレーム１６を下フレーム１７に対して複数の姿勢（たとえば、上フレーム１６が下フレーム１７に対して開いた姿勢、上フレーム１６が下フレーム１７に対して閉じた姿勢、など）で装着できるような構造においても上述同様の効果を期待できる。たとえば、上フレーム１６を下フレーム１７に装着して閉じた際に上述同様に下フレーム１７の発光部２１に面して発光部２１の照明光を反射し、上フレーム１６を下フレーム１７から外し下フレーム１７の発光部２１に対して開かれた（下フレーム１７の発光部２１から任意の角度や距離で離間した）位置にある時は鏡として機能するような構造であれば、上述同様の効果を期待できる。
【産業上の利用可能性】
【００４９】
本発明のＬＥＤ照明装置の構造は照明器具および鏡具としての機能を兼ねた製品に好適に実施することができる。
【符号の説明】
【００５０】
１０  基台
１２、１３  スイッチ
１４  電源ケーブル
１５  支柱
１６  上フレーム
１７  下フレーム
１８  可動結合部
１９  凹部
２０  ミラー
２１  発光部
２２  バルジ部
３１  拡散板
３２  導光板
３３  拡散板
３４  ＬＥＤ光源
【図１】
2012121126.tif 000003
【図２】
2012121126.tif 000004
【図３】
2012121126.tif 000005
【図４】
2012121126.tif 000006
【国際調査報告】
2012121126.tif 000007
2012121126.tif 000008